(57)【要約】  本発明の諸実施形態ではデータ送信方法を開示する。当該方法は、データ送信装置により、ユーザ・ジェスチャを受信するステップと、前記ユーザ・ジェスチャが既定のデータ送信動作と同じであるときに、当該データ送信装置により、送信すべきデータを受信装置に送信するステップとを含む。本発明の諸実施形態ではデータ送信装置も開示する。本発明の諸実施形態の方法と装置を使用することによって、データ送信を好都合かつ迅速に実現することができる。当該データ送信はユーザが利用するのに好都合であり、ユーザ・エクスペリエンスを高める。
2015510717.tif 000002
【特許請求の範囲】
【請求項１】
データ送信装置によりユーザ・ジェスチャを受信するステップと、
前記ユーザ・ジェスチャが既定のデータ送信動作と同じであるときに、前記データ送信装置により、送信すべきデータを受信装置に送信するステップと、
を含む、データ送信方法。
【請求項２】
前記既定のデータ送信動作は、前記データ送信装置と前記受信装置の間の接触動作、前記データ送信装置での回転動作、および前記送信すべきデータでのドラッグ動作のうち少なくとも１つを含む、請求項１に記載の方法。
【請求項３】
前記データ送信装置によりユーザ・ジェスチャを受信するステップの前に、前記データ送信装置により前記受信装置への接続を確立するステップを含む、請求項１または２に記載の方法。
【請求項４】
前記データ送信装置により受信されたユーザ・ジェスチャが前記既定のデータ送信動作と同じである後、かつ、前記データ送信装置が前記送信すべきデータを前記受信装置に送信する前に、
前記受信装置への接続が現在確立されているかどうかを前記データ送信装置により検出するステップと、
前記データ送信装置が前記受信装置への接続を確立していないときに、前記データ送信装置により前記受信装置への接続を確立するステップと、
をさらに含む、請求項１または２に記載の方法。
【請求項５】
ユーザ・ジェスチャを受信するように構成されたユーザ・ジェスチャ受信ユニットと、
前記ユーザ・ジェスチャ受信ユニットが受信したユーザ・ジェスチャが既定のデータ送信動作と同じであるときに、送信すべきデータを受信装置に送信するように構成された処理ユニットと、
を備える、データ送信装置。
【請求項６】
前記既定のデータ送信動作は、前記データ送信装置と前記受信装置の間の接触動作、前記データ送信装置での回転動作、および前記送信すべきデータでのドラッグ動作のうち少なくとも１つを含む、請求項５に記載のデータ送信装置。
【請求項７】
前記ユーザ・ジェスチャ受信ユニットが前記ユーザ・ジェスチャを受信する前に、前記受信装置への接続を確立するように構成された接続確立ユニットをさらに備える、請求項５または６に記載のデータ送信装置。
【請求項８】
前記ユーザ・ジェスチャ受信ユニットが受信したユーザ・ジェスチャが前記既定のデータ送信動作と同じである後、かつ、前記処理ユニットが前記送信すべきデータを前記受信装置に送信する前に、前記受信装置への接続が現在確立されているかどうかを検出するように構成された接続検出ユニットと、
前記受信装置への接続が確立されていないと前記接続検出ユニットが検出したときに、前記受信装置への接続を確立するように構成された接続確立ユニットと、
をさらに備える、請求項５または６に記載のデータ送信装置。
【発明の詳細な説明】
【技術分野】
【０００１】
関連出願の記載
本願は、発明の名称を「データ送信方法および装置」とした２０１２年３月７日に中国国家知識産権局に出願された中国特許出願第２０１２１００５７９４５．８号に対する優先権を主張し、その全体を引用により本明細書に取り込む。
【０００２】
本発明は、モバイル通信の分野に関し、特に、データ送信方法と装置に関する。
【背景技術】
【０００３】
現在、Ｄ２Ｄ（Ｄｅｖｉｃｅ  ｔｏ  Ｄｅｖｉｃｅ、装置間）接続とは、中間装置を用いた接続ではなく装置間の直接的な接続を指す。Ｄ２Ｄ接続を実装する方式には、ＮＦＣ（Ｎｅａｒ  Ｆｉｅｌｄ  Ｃｏｍｍｕｎｉｃａｔｉｏｎ、近距離通信）、ＢＴ（Ｂｌｕｅｔｏｏｔｈ（登録商標）、ブルートゥース）およびＷｉＦｉ  Ｄｉｒｅｃｔ（Ｗｉｒｅｌｅｓｓ  Ｆｉｄｅｌｉｔｙ  Ｄｉｒｅｃｔ、ワイヤレス・フィデリティ・ダイレクト）がある。現在、２つの装置間のＤ２Ｄ接続の構築に成功した後に、或る装置がデータを他の装置に送信するプロセスには一般に、当該他の装置に送信する必要があるデータをユーザが選択し、操作メニューを起動し、「送信」オプションを当該操作メニューで選択し、データを送信する必要がある装置をユーザが選択して、当該他の装置へのデータ送信を実装することが含まれる。
【発明の概要】
【発明が解決しようとする課題】
【０００４】
実際の適用において、データ送信の以上の実装方式では操作メニューを繰り返し呼び出して接続と送信を実施する必要があり、したがって、データ共有動作が複雑かつ困難になり、これは初心者レベルのユーザが実装を行うのには役に立たず、貧弱なユーザ・エクスペリエンスの原因となることを発明者は発見した。
【課題を解決するための手段】
【０００５】
本発明の諸実施形態ではデータ送信方法と装置を提供する。当該方法と装置は、複雑かつ操作が困難なデータ共有の問題を解決することができる。
【０００６】
本発明の１実施形態では、データ送信装置によりユーザ・ジェスチャを受信するステップと、当該ユーザ・ジェスチャが既定のデータ送信動作と同じであるときに、当該データ送信装置により、送信すべきデータを受信装置に送信するステップとを含むデータ送信方法を提供する。
【０００７】
したがって、本発明の１実施形態ではさらに、ユーザ・ジェスチャを受信するように構成されたユーザ・ジェスチャ受信ユニットと、当該ユーザ・ジェスチャ受信ユニットが受信したユーザ・ジェスチャが既定のデータ送信動作と同じであるときに、送信すべきデータを受信装置に送信するように構成された処理ユニットとを備えるデータ送信装置を提供する。
【０００８】
本発明の諸実施形態を実施すると以下の利点がある。即ち、本発明の諸実施形態では、データ送信装置が受信したユーザ・ジェスチャが既定のデータ送信動作と同じであるときに、ユーザがメニュー選択する必要なしに、送信すべきデータが受信装置に直接送信される。例えば、データ送信装置が受信したユーザ操作が当該データ送信装置と当該受信装置の間の接触動作、当該データ送信装置での回転動作および当該送信すべきデータでのドラッグ動作のうち少なくとも１つであるときには、ユーザにより複数のメニューを選択する必要なしにデータを直接受信装置に送信することができ、データ送信を好都合かつ迅速に実現することができる。当該データ送信はユーザが利用するのに好都合であり、ユーザ・エクスペリエンスを高める。
【０００９】
本発明の諸実施形態または先行技術における技術的解決策をより明確に説明するために、当該諸実施形態または先行技術を説明するのに必要な添付図面を以下で簡単に説明する。明らかに、以下の説明における添付図面は本発明の幾つかの諸実施形態を示すにすぎず、当業者は創造的作業なしに添付図面から他の図面をさらに導出することができる。
【図面の簡単な説明】
【００１０】
【図１】本発明に従うデータ送信方法の第１の実施形態の略流れ図である。
【図２】本発明の１実施形態に従うデータ送信プロセスの略図である。
【図３】本発明の１実施形態に従うデータ送信プロセスの別の略図である。
【図４】本発明の１実施形態に従うデータ送信プロセスのさらに別の略図である。
【図５】本発明に従うデータ送信方法の第２の実施形態の略流れ図である。
【図６】本発明に従うデータ送信方法の第３の実施形態の略流れ図である。
【図７】本発明の第１の実施形態に従うデータ送信装置の略流れ図である。
【図８】本発明の第２の実施形態に従うデータ送信装置の略構造図である。
【図９】本発明の第３の実施形態に従うデータ送信装置の略構造図である。
【発明を実施するための形態】
【００１１】
本発明の諸実施形態における技術的解決策を、本発明の諸実施形態における添付図面を参照して以下で明確かつ十分に説明する。明らかに、説明する諸実施形態は本発明の諸実施形態の全部ではなく一部にすぎない。本発明の諸実施形態に基づいて、当業者が創造的作業なしに取得する他の全ての実施形態は本発明の保護範囲に入るものとする。
【００１２】
本発明の諸実施形態におけるデータ送信方法の中心的な原理は、データ送信装置において送信すべきデータを受信装置に送信する必要があるときに、送信すべきデータの送信動作がユーザ・ジェスチャによりトリガされるということである。例えば、ユーザ・ジェスチャが当該データ送信装置と当該受信装置の間の接触動作、当該データ送信装置での回転動作、および当該送信すべきデータでのドラッグ動作のうち少なくとも１つと同じであるときに、当該送信すべきデータが受信装置に直接送信される。接触、回転、またはドラッグのような動作がユーザの振舞いの習慣とマッチし、したがって、本発明の諸実施形態のデータ送信方法がユーザのデータ送信意図を積極的に認識することができ、ユーザのデータ送信意図が認識されたときに、送信すべきデータの受信装置への送信を行う。これはユーザがデータ送信を実装するのに好都合である。例えば、ユーザがデータ送信装置内の画像を受信装置に送信したいときには、ユーザは先ず送信すべき画像を送信すべきデータとして選択し、次いでデータ送信装置を受信装置と穏やかに接触させるかまたはデータ送信装置を回転して、送信すべき画像の受信装置への送信を容易に実装することができる。以下で、添付図面を参照して本発明の諸実施形態のデータ送信方法を詳細に説明する。
【００１３】
図１を参照する。図１は、本発明に従うデータ送信方法の第１の実施形態の流れ図である。当該方法は以下を含む。ステップＳ１１で、データ送信装置がユーザ・ジェスチャを受信する。ステップＳ１２で、ステップＳ１１のユーザ・ジェスチャが既定のデータ送信動作と同じであるときには、データ送信装置は送信すべきデータを受信装置に送信する。
【００１４】
当該ユーザ・ジェスチャには主に、データ送信装置と受信装置の間の接触のジェスチャ、データ送信装置の回転のジェスチャ、送信すべきデータのドラッグのジェスチャがある。したがって、当該既定のデータ送信動作は、当該データ送信装置と当該受信装置の間の接触動作、当該データ送信装置での回転動作、および当該送信すべきデータでのドラッグ動作のうち少なくとも１つを含む。当該送信すべきデータは、データ送信装置内のオーディオ・ファイル、ビデオ・ファイル、画像、ワード文書等であってもよく、データ送信装置内のデータを、送信すべきデータを受信装置に送信することにより受信装置と共有することができる。場合によっては、デフォルトで、当該送信すべきデータは現在のディスプレイ・インタフェースに表示されたファイルであってもよく、または、ファイルを選択するようにユーザに促してもよく、これは本発明の当該実施形態では限定されない。
【００１５】
ステップＳ１１では、当該ユーザ・ジェスチャの受信を、データ送信装置に組み込んだ重力センサまたはジャイロスコープのようなセンサにより実装してもよい。センサがユーザ・ジェスチャを受信したときに、当該センサは当該ユーザ・ジェスチャを、データ送信装置内のＣＰＵ（Ｃｅｎｔｒａｌ  Ｐｒｏｃｅｓｓｉｎｇ  Ｕｎｉｔ、中央演算装置）のようなプロセッサに送信する。当該プロセッサは当該ユーザ・ジェスチャを当該既定のデータ送信動作と比較し、これらが同じであるかまたは特定の相関関係を有する場合には、送信すべきデータを受信装置に送信する。プロセッサがセンサから受信したユーザ・ジェスチャは通常は当該既定のデータ送信動作と完全に同じである可能性は低く、したがって、ユーザ・ジェスチャおよび当該既定のデータ送信動作の同一部分が一定の閾値を超過したときには（当該閾値を必要な精度に従って柔軟に設定してもよく、本発明の当該実施形態では限定されない）、当該ユーザ・ジェスチャと当該既定のデータ送信動作を同一とみなせることに留意されたい。以下では、本発明の当該実施形態におけるデータ送信を実装するプロセスの説明を、添付の図２乃至４を参照して続ける。
【００１６】
図２に示すように、ユーザがデータ送信装置１ａのワード文書２ａを受信装置１ｂに送信する必要があるときには、ワード文書２ａをクリックして選択した後にユーザがデータ送信装置１ａを保持して、データ送信装置１ａを受信装置１ｂに向かって動かして、データ送信装置１ａが受信装置１ｂに穏やかに接するようにしてもよい。この時点で、加速度センサ、近接性センサ、または圧力センサのようなデータ送信装置１ａ内のセンサが、収集した移動信号と接触信号をデータ送信装置１ａのプロセッサに集める。当該プロセッサは、センサが報告した移動信号と接触信号に従ってユーザ・ジェスチャを知り、当該ユーザ・ジェスチャが既定のデータ送信動作のうち１つであることを発見し、データ送信動作を即座にトリガしてワード文書２ａを受信装置１ｂに送信することができる。
【００１７】
図３に示すように、ユーザがデータ送信装置１ａ内のワード文書２ａを受信装置１ｂに送信する必要があるときには、ワード文書２ａをクリックして選択した後にユーザはワード文書２ａを押下し続けて保持し、その後に受信装置１ｂへとドラッグしてもよい。この時点で、データ送信装置１ａのタッチ・スクリーンがワード文書２ａの収集したドラッグ信号をプロセッサに送信する。当該プロセッサは、ユーザ・ジェスチャがワード文書２ａ上のドラッグ動作であることを当該ドラッグ信号に従って知り、当該ユーザ・ジェスチャが既定のデータ送信動作のうち１つと同じであることを発見し、データ送信動作を即座にトリガしてワード文書２ａを受信装置１ｂに送信することができる。ユーザが行ったデータ送信装置１ａにおけるファイルのドラッグ動作が多くのアプリケーションの場面で現れることがあり、したがって、ユーザが他の目的で行ったファイルのドラッグ動作がデータ送信とみなされることを防ぐために、追加の制約条件、例えば、図３に示す距離のようにデータ送信装置１ａと受信装置２ａの距離が十分に近いという条件を当該条件に追加してもよいことに留意されたい。
【００１８】
図４に示すように、ユーザがデータ送信装置１ａ内のワード文書２ａを受信装置１ｂに送信する必要があるときには、ユーザはワード文書２ａをクリックして選択した後にデータ送信装置１ａを１８０度回転してもよい。この時点で、データ送信装置１ａ内のセンサがデータ送信装置１ａの収集した回転信号をプロセッサに送信する。当該プロセッサは当該ユーザ・ジェスチャがデータ送信装置１ａでの回転動作であることを当該回転信号に従って知り、当該ユーザ・ジェスチャが当該既定のデータ送信動作のうち１つと同じであることを発見し、次いでデータ送信動作を即座にトリガしてワード文書２ａを受信装置１ｂに送信することができる。
【００１９】
本発明の当該実施形態では、当該データ送信装置が受信したユーザ・ジェスチャが既定のデータ送信動作と同じであるかまたは既定のデータ送信動作と一定の相関関係を有するとき、例えば、受信したユーザ・ジェスチャが、当該データ送信装置と当該受信装置の間の接触動作、当該データ送信装置での回転動作、および当該送信すべきデータでのドラッグ動作の何れか１つと同一であるかこれらの動作と一定の相関関係を有するときには、当該データ送信装置は、当該送信すべきデータを当該受信装置に送信して、データ送信を実装する。本発明の当該実施形態のデータ送信方法を用いることによって、データ送信を好都合かつ迅速に実現することができる。当該データ送信はユーザが利用するのに好都合であり、ユーザ・エクスペリエンスを高める。
【００２０】
図５を参照すると、図５は本発明に従うデータ送信方法の第２の実施形態の略流れ図である。図５に示す実施形態は図１に示した実施形態を補完するものであり、その主な目的は、データ送信装置がユーザ・ジェスチャを受信する前に受信装置との接続を確立することである。当該方法は以下を含む。
【００２１】
ステップＳ５１で、データ送信装置と受信装置の間の接続を確立する。データ送信装置と受信装置の間で確立された当該接続はＤ２Ｄ接続であることが好ましい。Ｄ２Ｄ接続には、ＮＦＣ、ＢＴ、赤外線またはＷｉＦｉ  Ｄｉｒｅｃｔが含まれるがこれらに限られない。以下では、ＮＦＣを例として用いて、データ送信装置と受信装置の間のＤ２Ｄ接続を確立するプロセスを説明する。
【００２２】
データ送信装置と受信装置の間のＮＦＣ接続を確立するための事前条件は、当該データ送信装置と当該受信装置の両方がＮＦＣ機能をサポートしそのＮＦＣ機能が両方とも有効であることである。以上の条件のもとでは、受信装置がデータ送信装置の検知範囲に入ったときに、データ送信装置が検索により受信装置を発見し、当該受信装置へのＮＦＣ接続を積極的に確立することができる。ＮＦＣ接続を確立するプロセスは当業者には明らかであることに留意されたい。したがって詳細はここでは繰り返さない。
【００２３】
ステップＳ５２で、当該データ送信装置がユーザ・ジェスチャを受信する。ステップＳ５３で、ステップＳ５２のユーザ・ジェスチャが既定のデータ送信動作と同じであるかまたは既定のデータ送信動作と一定の相関関係を有するときに、当該データ送信装置が、送信すべきデータを受信装置に送信する。具体的には、ステップＳ５３で、送信すべきデータがステップＳ５１で確立した接続（好ましくはＤ２Ｄ接続）を介して受信装置に送信される。
【００２４】
図６を参照する。図６は本発明に従うデータ送信方法の第３の実施形態の略流れ図である。図６に示す実施形態は図１に示した実施形態を補完するものである。その主な目的は、受信したユーザ・ジェスチャが既定のデータ送信動作と同じであるときにデータ送信装置が受信装置に接続されているかどうかを判定し、当該データ送信装置が受信装置に接続されていない場合には、まず接続を確立することである。当該方法は、以下を含む。
【００２５】
ステップＳ６１で、データ送信装置がユーザ・ジェスチャを受信する。ステップＳ６２で、ステップＳ６１のユーザ・ジェスチャが既定のデータ送信動作と同じであるかまたは既定のデータ送信動作と一定の相関関係を有するときには、当該データ送信装置は当該受信装置への接続が現在確立されているかどうかを検出する。
【００２６】
このステップでは、検出結果が肯定的である場合には、これはステップＳ６３で当該受信装置への接続が確立されていないことをデータ送信装置が検出したことを示し、ステップＳ６３を実施する。検出結果が否定的である場合には、これはステップＳ６３で受信装置への接続が確立されたことを当該データ送信装置が検出したことを示し、ステップＳ６４を直接実施する。特に、当該データ送信装置と当該受信装置の間の接続はＤ２Ｄ接続であることが好ましい。
【００２７】
ステップＳ６３で、当該データ送信装置が受信装置への接続を確立して、ステップＳ６４に進む。ステップＳ６４で、当該データ送信装置が、送信すべきデータを受信装置に送信する。
【００２８】
以上の方法の実施形態に対応して、以下では添付図面を参照して本発明の諸実施形態におけるデータ送信装置の構造の説明を続ける。
【００２９】
図７は、本発明の１実施形態に従うデータ送信装置の略構造図である。データ送信装置１ａは、ユーザ・ジェスチャ受信ユニット２１と処理ユニット２２を備える。ユーザ・ジェスチャ受信ユニット２１はユーザ・ジェスチャを受信するように構成される。処理ユニット２２は、ユーザ・ジェスチャ受信ユニット２１が受信したユーザ・ジェスチャが既定のデータ送信動作と同じであるときに、送信すべきデータを受信装置に送信するように構成される。
【００３０】
当該ユーザ・ジェスチャには主に、データ送信装置と受信装置の間の接触のジェスチャ、データ送信装置の回転のジェスチャ、送信すべきデータのドラッグのジェスチャが含まれる。したがって、当該既定のデータ送信動作は、データ送信装置１ａと当該受信装置の間の接触動作、データ送信装置１ａでの回転動作、および当該送信すべきデータでのドラッグ動作のうち少なくとも１つを含む。当該送信すべきデータは、当該データ送信装置内のオーディオ・ファイル、ビデオ・ファイル、画像、ワード文書等であってもよく、当該データ送信装置内のデータを、送信すべきデータを受信装置に送信することにより受信装置と共有することができる。場合によっては、デフォルトで、当該送信すべきデータは現在のディスプレイ・インタフェースに表示されたファイルであってもよく、または、ファイルを選択するようにユーザに促してもよく、これは本発明の当該実施形態では限定されない。
【００３１】
具体的には、ユーザ・ジェスチャ受信ユニット２１を、データ送信装置１ａに組み込んだ重力センサまたはジャイロスコープのようなセンサによって実装してもよい。ユーザ・ジェスチャ受信ユニット２１がユーザ・ジェスチャを受信したときに、当該ユーザ・ジェスチャは処理ユニット２２に送信される。処理ユニット２２はプロセッサと送信器を備えてもよい。当該プロセッサは、当該ユーザ・ジェスチャを既定のデータ送信動作と比較するように構成され、それらが同一である場合には、送信すべきデータを送信器が受信装置に送信する。プロセッサがユーザ・ジェスチャ受信ユニット２１から受信したユーザ・ジェスチャは通常は当該既定のデータ送信動作と完全に同じである可能性は低く、したがって、ユーザ・ジェスチャおよび当該既定のデータ送信動作の同一部分が一定の閾値を超過したときには（当該閾値をニーズに従って柔軟に設定してもよい）、当該ユーザ・ジェスチャと当該既定のデータ送信動作を同一とみなせることに留意されたい。以下では、本発明の当該実施形態におけるデータ送信を実装するプロセスの説明を、添付の図２乃至４を参照して続ける。
【００３２】
図２に示すように、ユーザがデータ送信装置１ａのワード文書２ａを受信装置１ｂに送信する必要があるときには、ワード文書２ａをクリックして選択した後にユーザがデータ送信装置１ａを保持して、データ送信装置１ａを受信装置１ｂへと動かして、データ送信装置１ａが受信装置１ｂに穏やかに接するようにしてもよい。この時点で、データ送信装置１ａ内のセンサ（ユーザ・ジェスチャ受信ユニット２１）が、収集した移動信号と接触信号をデータ送信装置１ａのプロセッサに集める。当該プロセッサは、センサが記録した移動信号と接触信号に従ってユーザ・ジェスチャを知り、当該ユーザ・ジェスチャが既定のデータ送信動作のうち１つであることを発見し、送信器を用いることによってデータ送信動作を即座にトリガしてワード文書２ａを受信装置１ｂに送信することができる。
【００３３】
図３に示すように、ユーザがデータ送信装置１ａ内のワード文書２ａを受信装置１ｂに送信する必要があるときには、ワード文書２ａをクリックして選択した後にユーザはワード文書２ａを押下し続けて保持し、その後に受信装置１ｂへとドラッグしてもよい。この時点で、データ送信装置１ａのセンサ（ユーザ・ジェスチャ受信ユニット２１）がワード文書２ａの収集したドラッグ信号をプロセッサに送信する。当該プロセッサは、ユーザ・ジェスチャがワード文書２ａ上のドラッグ動作であることを当該ドラッグ信号に従って知り、当該ユーザ・ジェスチャが既定のデータ送信動作のうち１つであることを発見し、送信器を用いることによってデータ送信動作を即座にトリガしてワード文書２ａを受信装置１ｂに送信することができる。ユーザが行ったデータ送信装置１ａにおけるファイルのドラッグ動作が多くのアプリケーションの場面で現れることがあり、したがって、ユーザが他の目的で行ったファイルのドラッグ動作がデータ送信とみなされることを防ぐために、追加の制約条件、例えば、図３に示す距離のようにデータ送信装置１ａと受信装置２ａの距離が十分に近いという条件を当該条件に追加してもよいことに留意されたい。
【００３４】
図４に示すように、ユーザがデータ送信装置１ａ内のワード文書２ａを受信装置１ｂに送信する必要があるときには、ユーザはワード文書２ａをクリックして選択した後にデータ送信装置１ａを１８０度回転してもよい。この時点で、データ送信装置１ａ内のセンサ（ユーザ・ジェスチャ受信ユニット２１）がデータ送信装置１ａの収集した回転信号をプロセッサに送信する。当該プロセッサは当該ユーザ・ジェスチャがデータ送信装置１ａでの回転動作であることを当該回転信号に従って知り、当該ユーザ・ジェスチャが当該既定のデータ送信動作のうち１つと同じであることを発見し、次いでデータ送信動作を即座にトリガしてワード文書２ａを受信装置１ｂに送信することができる。
【００３５】
本発明の諸実施形態では、当該データ送信装置により受信されたユーザ・ジェスチャが当該既定のデータ送信動作と同じであるとき、例えば、受信したユーザ・ジェスチャが当該データ送信装置と当該受信装置の間の接触動作、当該データ送信装置での回転動作、および当該送信すべきデータでのドラッグ動作のうち何れか１つと同じであるであるときには、当該データ送信装置が当該送信すべきデータを当該受信装置に送信して、データ送信を実装する。本発明の当該実施形態のデータ送信方法を用いることによって、データ送信を好都合かつ迅速に実現することができる。当該データ送信はユーザが利用するのに好都合であり、ユーザ・エクスペリエンスを高める。
【００３６】
図８を参照する。図８は本発明の第２の実施形態に従うデータ送信装置の略構造図である。図７に示すデータ送信装置１ａと比べて、図８のデータ送信装置はさらに、ユーザ・ジェスチャ受信ユニット２１がユーザ・ジェスチャを受信する前に受信装置への接続を確立するように構成された接続確立ユニット２３を備える。
【００３７】
具体的には、接続確立ユニット２３が受信装置へのＤ２Ｄ接続を確立することが好ましい。Ｄ２Ｄ接続には、ＮＦＣ、ＢＴ、赤外線またはＷｉＦｉ  Ｄｉｒｅｃｔが含まれるがこれらに限らない。以下では、ＮＦＣを例として用いて接続確立ユニット２３と受信装置の間のＤ２Ｄ接続を確立するプロセスを説明する。
【００３８】
接続確立ユニット２３と受信装置の間のＮＦＣ接続を確立するための事前条件は、接続確立ユニット２３と当該受信装置の両方がＮＦＣ機能をサポートしそのＮＦＣ機能が両方とも有効であることである。以上の条件では、受信装置が接続確立ユニット２３の検知範囲に入ったときに、接続確立ユニット２３が検索により受信装置を発見し、当該受信装置へのＮＦＣ接続を積極的に確立することができる。ＮＦＣ接続を確立するプロセスは当業者には明らかであることに留意されたい。したがって詳細はここでは繰り返さない。
【００３９】
図９を参照する。図９は本発明の第３の実施形態に従うデータ送信装置の略構造図である。図７に示すデータ送信装置と比べると、図９のデータ送信装置はさらに、ユーザ・ジェスチャが当該既定のデータ送信動作と同じであるときに、当該受信装置への接続が現在確立されているかどうかを検出するように構成された接続検出ユニット２４と、当該受信装置への接続が確立されていないと接続検出ユニット２４が検出したときに、当該受信装置への接続を確立するように構成された接続確立ユニット２３とを備える。具体的には、接続確立ユニット２３が受信装置へのＤ２Ｄ接続を確立することが好ましい。
【００４０】
当該実施形態の方法のプロセスの全部または一部を関連ハードウェアに指示するコンピュータ・プログラムにより実装してもよいことは当業者には理解される。当該プログラムをコンピュータ可読記憶媒体に格納してもよい。当該プログラムを実行したときに、当該実施形態の方法のプロセスが実施される。以上の記憶媒体が磁気ディスク、光ディスク、読取専用メモリ（Ｒｅａｄ−Ｏｎｌｙ  Ｍｅｍｏｒｙ、ＲＯＭ）、またはランダム・アクセス・メモリ（Ｒおよびｏｍ  Ａｃｃｅｓｓ  Ｍｅｍｏｒｙ、ＲＡＭ）を含んでもよい。
【００４１】
以上では、本発明の例示的な諸実施形態を開示した。これは本発明の保護範囲を限定しようとするものではない。当該実施形態のプロセスの全部または一部、および、本発明の特許請求の範囲を参照して行った均等な置換えも本発明の保護範囲に入ることは当業者には理解される。
【符号の説明】
【００４２】
１ａ  データ送信装置
２１  ユーザ・ジェスチャ受信ユニット
２２  処理ユニット
２３  接続確立ユニット
【図１】
2015510717.tif 000003
【図２】
2015510717.tif 000004
【図３】
2015510717.tif 000005
【図４】
2015510717.tif 000006
【図５】
2015510717.tif 000007
【図６】
2015510717.tif 000008
【図７】
2015510717.tif 000009
【図８】
2015510717.tif 000010
【図９】
2015510717.tif 000011
【手続補正書】
【提出日】平成26年7月23日(2014.7.23)
【手続補正１】
【補正対象書類名】明細書
【補正対象項目名】００２６
【補正方法】変更
【補正の内容】
【００２６】
このステップでは、検出結果が否定的である場合には、これはステップＳ６２で当該受信装置への接続が確立されていないことをデータ送信装置が検出したことを示し、ステップＳ６３を実施する。検出結果が肯定的である場合には、これはステップＳ６２で受信装置への接続が確立されたことを当該データ送信装置が検出したことを示し、ステップＳ６４を直接実施する。特に、当該データ送信装置と当該受信装置の間の接続はＤ２Ｄ接続であることが好ましい。
【手続補正２】
【補正対象書類名】特許請求の範囲
【補正対象項目名】全文
【補正方法】変更
【補正の内容】
【特許請求の範囲】
【請求項１】
データ送信装置によりユーザ・ジェスチャを受信するステップと、
前記ユーザ・ジェスチャが既定のデータ送信動作と同じであるときに、前記データ送信装置により、送信すべきデータを受信装置に送信するステップと、
を含む、データ送信方法。
【請求項２】
前記既定のデータ送信動作は、前記データ送信装置と前記受信装置の間の接触動作、前記データ送信装置での回転動作、および前記送信すべきデータでのドラッグ動作のうち少なくとも１つを含む、請求項１に記載の方法。
【請求項３】
前記データ送信装置によりユーザ・ジェスチャを受信するステップの前に、前記データ送信装置により前記受信装置への接続を確立するステップを含む、請求項１または２に記載の方法。
【請求項４】
前記データ送信装置により受信されたユーザ・ジェスチャが前記既定のデータ送信動作と同じである後、かつ、前記データ送信装置が前記送信すべきデータを前記受信装置に送信する前に、
前記受信装置への接続が現在確立されているかどうかを前記データ送信装置により検出するステップと、
前記データ送信装置が前記受信装置への接続を確立していないときに、前記データ送信装置により前記受信装置への接続を確立するステップと、
をさらに含む、請求項１または２に記載の方法。
【請求項５】
ユーザ・ジェスチャを受信するように構成されたユーザ・ジェスチャ受信ユニットと、
前記ユーザ・ジェスチャ受信ユニットが受信したユーザ・ジェスチャが既定のデータ送信動作と同じであるときに、送信すべきデータを受信装置に送信するように構成された処理ユニットと、
を備える、データ送信装置。
【請求項６】
前記既定のデータ送信動作は、前記データ送信装置と前記受信装置の間の接触動作、前記データ送信装置での回転動作、および前記送信すべきデータでのドラッグ動作のうち少なくとも１つを含む、請求項５に記載のデータ送信装置。
【請求項７】
前記ユーザ・ジェスチャ受信ユニットが前記ユーザ・ジェスチャを受信する前に、前記受信装置への接続を確立するように構成された接続確立ユニットをさらに備える、請求項５または６に記載のデータ送信装置。
【請求項８】
前記ユーザ・ジェスチャ受信ユニットが受信したユーザ・ジェスチャが前記既定のデータ送信動作と同じである後、かつ、前記処理ユニットが前記送信すべきデータを前記受信装置に送信する前に、前記受信装置への接続が現在確立されているかどうかを検出するように構成された接続検出ユニットと、
前記受信装置への接続が確立されていないと前記接続検出ユニットが検出したときに、前記受信装置への接続を確立するように構成された接続確立ユニットと、
をさらに備える、請求項５または６に記載のデータ送信装置。
【請求項９】
請求項１乃至４の何れか１項に記載の方法をコンピュータに実行させるプログラムを記録した、コンピュータ可読記録媒体。
【手続補正３】
【補正対象書類名】明細書
【補正対象項目名】００１０
【補正方法】変更
【補正の内容】
【００１０】
【図１】本発明に従うデータ送信方法の第１の実施形態の略流れ図である。
【図２】本発明の１実施形態に従うデータ送信プロセスの略図である。
【図３】本発明の１実施形態に従うデータ送信プロセスの別の略図である。
【図４】本発明の１実施形態に従うデータ送信プロセスのさらに別の略図である。
【図５】本発明に従うデータ送信方法の第２の実施形態の略流れ図である。
【図６】本発明に従うデータ送信方法の第３の実施形態の略流れ図である。
【図７】本発明の第１の実施形態に従うデータ送信装置の略構造図である。
【図８】本発明の第２の実施形態に従うデータ送信装置の略構造図である。
【図９】本発明の第３の実施形態に従うデータ送信装置の略構造図である。
【国際調査報告】
2015510717.tif 000012
2015510717.tif 000013
2015510717.tif 000014
2015510717.tif 000015
2015510717.tif 000016